(57)【要約】      （修正有）【課題】画像の質を低下させずに、定着部での記録媒体の搬送不良を抑制できる画像形成装置を提供する。【解決手段】画像形成装置は、感光体ドラム、露光装置、現像装置、転写装置、定着装置及び制御部を備える。露光装置は、画像データに基づいて感光体ドラムの表面に静電潜像を形成する。現像装置は、静電潜像を現像してトナー像にする。転写装置は、所定方向に搬送される用紙にトナー像を転写する。定着装置は、トナー像を用紙に定着させる。制御部は、用紙の搬送方向において用紙の前端領域と後端領域とのトナー像を画像データに基づいて互いに比較し、前端領域より後端領域の方がトナーの量が少ない場合にトナー像の前端と後端とが反転するように画像データを露光装置へ出力する。【選択図】図４
2008107658.tif 000002
【特許請求の範囲】
【請求項１】
静電潜像担持体と、画像情報に基づいて前記静電潜像担持体の表面に静電潜像を形成する静電潜像形成部と、前記静電潜像を現像してトナー像にする現像部と、所定方向に搬送される記録媒体に前記トナー像を転写する転写部と、前記トナー像を前記記録媒体に定着させる定着部と、を備える画像形成装置において、
記録媒体の搬送方向において記録媒体の所定面積の前端領域と前記前端領域に等しい面積の後端領域とのそれぞれに転写されるトナーの量を画像情報に基づいて互いに比較し、前記前端領域に転写されるトナーの量より前記後端領域に転写されるトナーの量が少ない場合に、トナー像の前端と後端とが反転するように画像情報を前記静電潜像形成部へ出力する制御部を備えることを特徴とする画像形成装置。
【請求項２】
前記定着部は、記録媒体をニップする２個のローラと、記録媒体を前記ローラから剥離する剥離爪と、を有し、
前記前端領域は、記録媒体の前端側における前記２個のローラによるニップ部と前記剥離爪との間の距離に相当する長さの領域であり、
前記後端領域は、記録媒体の後端側における前記距離に相当する長さの領域であることを特徴とする請求項１に記載の画像形成装置。
【請求項３】
前記制御部は、複数枚の記録媒体に連続して複数のトナー像を定着させる際に、前記複数のトナー像のそれぞれについて前記前端領域と前記後端領域とのそれぞれに転写されるトナーの量を画像情報に基づいて互いに比較し、所定数以上のトナー像で前記前端領域に転写されるトナーの量より前記後端領域に転写されるトナーの量が少ない場合に、複数のトナー像の全てについて、トナー像の前端と後端とが反転するように画像情報を出力することを特徴とする請求項１又は２に記載の画像形成装置。
【請求項４】
前記制御部は、複数枚の記録媒体に連続して複数のトナー像を定着させる際に、前記複数のトナー像のうちで初期の所定枚数の記録媒体のそれぞれに定着させるべき所定数のトナー像のそれぞれについて前記前端領域と前記後端領域とのそれぞれに転写されるトナーの量を画像情報に基づいて互いに比較し、所定数以上のトナー像で前記前端領域に転写されるトナーの量より前記後端領域に転写されるトナーの量が少ない場合に、トナー像の全てについて、トナー像の前端と後端とが反転するように画像情報を出力することを特徴とする請求項１又は２に記載の画像形成装置。
【請求項５】
前記所定枚数は、前記複数枚の半数であることを特徴とする請求項３又は４に記載の画像形成装置。
【請求項６】
前記制御部は、記録媒体が薄紙である場合は前記比較の結果に応じてトナー像の前端と後端とを反転させ、記録媒体が厚紙である場合は前記比較の結果に関わらずトナー像の前端と後端とを反転させないことを特徴とする請求項１から５のいずれかに記載の画像形成装置。
【請求項７】
トナー像を定着された記録媒体に所定の後処理を施す後処理装置をさらに備え、
前記制御部は、前記後処理の要求を受け付けた場合、前記比較の結果に関わらずトナー像の前端と後端とを反転させないことを特徴とする請求項１から６のいずれかに記載の画像形成装置。
【発明の詳細な説明】
【技術分野】
【０００１】
この発明は、トナー像を記録媒体に定着させる定着部を備えた電子写真方式の画像形成装置に関する。
【背景技術】
【０００２】
電子写真方式の画像形成装置は、トナー像を記録媒体に定着させる定着部を備えている。定着部は、トナー像を転写された記録媒体を２個のローラで挟み付けながら回転し、トナーを加熱し溶融させて記録媒体に圧着させることでトナー像を記録媒体に固着させる。
【０００３】
定着部で溶融されたトナーは、記録媒体に付着するとともにローラの表面にも付着するので、２個のローラのニップ部を通過した記録媒体の前端部は、ローラの表面に貼り付いた状態で搬送されることがあり、この場合、記録媒体はローラの表面から剥離爪で強制的に剥離される。
【０００４】
近年、画像形成装置の印刷速度の高速化に伴い、定着部での記録媒体の搬送速度が高くなり、定着部のローラの温度が低下することがある。このため、温度の低下による定着性能の低下を防ぐため、２個のローラによる加圧力が高められている。これによって、記録媒体は定着部のローラの表面に、より強く貼り付き易い。
【０００５】
また、記録媒体の前端部に転写されたトナーの量が多い場合、記録媒体は定着部のローラの表面にさらにより強く貼り付き易くなる。記録媒体の搬送速度が高い場合、ローラの表面からの記録媒体の剥離が遅れ、搬送不良が発生する。
【０００６】
このような搬送不良を抑制するため、記録媒体の前端部に非画像部を形成する技術が開示されている（例えば、特許文献１参照。）。
【０００７】
また、画像形成装置が設置されている場所の環境条件に応じて、記録媒体の前端部の余白量を設定する技術が開示されている（例えば、特許文献２参照。）。
【特許文献１】特開平９−２８８３９０号公報
【特許文献２】特開２００４−７８０２５公報
【発明の開示】
【発明が解決しようとする課題】
【０００８】
しかし、従来の画像形成装置では、記録媒体の前端部に画像が形成されていない余白部を形成するために、本来形成されるべき画像の一部が欠如され、又は、画像が記録媒体の隅に片寄って形成されるなど、画像の質が低下していた。
【０００９】
この発明の目的は、画像の質を低下させずに、定着部での記録媒体の搬送不良を抑制できる画像形成装置を提供することにある。
【課題を解決するための手段】
【００１０】
この発明の画像形成装置は、静電潜像担持体、静電潜像形成部、現像部、転写部、定着部及び制御部を備える。静電潜像形成部は、画像情報に基づいて前記静電潜像担持体の表面に静電潜像を形成する。現像部は、静電潜像を現像してトナー像にする。転写部は、所定方向に搬送される記録媒体にトナー像を転写する。定着部は、トナー像を記録媒体に定着させる。制御部は、記録媒体の搬送方向において記録媒体の所定面積の前端領域と前端領域に等しい面積の後端領域とのそれぞれに転写されるトナーの量を画像情報に基づいて互いに比較し、前記前端領域に転写されるトナーの量より前記後端領域に転写されるトナーの量が少ない場合に、トナー像の前端と後端とが反転するように画像情報を前記静電潜像形成部へ出力する。
【発明の効果】
【００１１】
この発明によれば、記録媒体の前端領域より後端領域の方がトナーの量が少なくなる場合に前端と後端とが反転するように画像情報を出力するので、前端領域と後端領域とでトナーの量が少ない方を常に搬送方向の前方部にして、静電潜像の形成、現像、転写及び定着の一連の画像形成処理を行うことができる。このため、記録媒体の前端領域が定着部へ貼り付く強さを低下させ、容易に剥離可能にすることで、定着部での記録媒体の搬送不良を抑制することができる。
【００１２】
また、トナー像の前端と後端とを反転させるだけで、トナー像を欠如させないので、画像の質を低下させない。
【発明を実施するための最良の形態】
【００１３】
以下に、この発明を実施するための最良の形態について、図面に基づいて説明する。図１は、この発明の実施形態に係る画像形成装置１００の概略の構成を示す断面図である。
【００１４】
画像形成装置１００は、画像読取ユニット２００、画像記録ユニット３００、給紙ユニット４００、及び、制御部６０を備えている。
【００１５】
画像読取ユニット２００は、自動原稿搬送装置（ＡＤＦ:AutomaticDocument Feeder）２０１、第１原稿台２０２、第２原稿台２０３、第１ミラーベース２０４、第２ミラーベース２０５、レンズ２０６及び固体撮像素子（ＣＣＤ:Charge Coupled Device）２０７を備えている。
【００１６】
ＡＤＦ２０１には、原稿トレイ２１１から第２原稿台２０３を経由して排出トレイ２１２に至る原稿搬送路２１３が形成されている。ＡＤＦ２０１は、原稿搬送路２１３内に原稿を１枚ずつ搬送する。ＡＤＦ２０１は、第１原稿台２０２の上面を開閉自在に被覆するように、背面側を支点に回動自在にされている。前面側が上方に移動するようにＡＤＦ２０１を回動させて第１原稿台２０２の上面を露出させることにより、手動操作によって第１原稿台２０２に原稿を載置することができる。
【００１７】
第１原稿台２０２及び第２原稿台２０３は、ともに硬質ガラス板によって構成されている。
【００１８】
第１ミラーベース２０４及び第２ミラーベース２０５は、第１原稿台２０２及び第２原稿台２０３の下方において水平方向に移動自在にされている。第２ミラーベース２０５の移動速度は、第１ミラーベース２０４の移動速度の１／２にされている。第１ミラーベース２０４は、光源及び第１ミラーを搭載している。第２ミラーベース２０５は、第２ミラー及び第３ミラーを搭載している。
【００１９】
ＡＤＦ２０１によって搬送される原稿の画像を読み取る際に、第１ミラーベース２０４は、第２原稿台２０３の下方に停止している。光源の光は、第２原稿台２０３上を通過する原稿の画像面に向けて照射され、原稿の画像面における反射光が第１ミラーによって第２ミラーベース２０５に向けて反射される。
【００２０】
第１原稿台２０２に載置された原稿の画像を読み取る際には、第１ミラーベース２０４及び第２ミラーベース２０５は、第１原稿台２０２の下方を水平方向に移動する。光源の光は、第１原稿台２０２上に載置された原稿の画像面に向けて照射され、原稿の画像面における反射光が第１ミラーによって第２ミラーベース２０５に向けて反射される。
【００２１】
ＡＤＦ２０１を用いるか否かに拘らず、原稿の画像面における反射光は、光路長を一定にして、第２ミラー及び第３ミラーによってレンズ２０６を経由してＣＣＤ２０７に入射する。
【００２２】
ＣＣＤ２０７は、原稿の画像面における反射光の光量に応じた電気信号を出力する。この電気信号は、制御部６０を介して画像記録ユニット３００に画像データ（画像情報）として入力される。
【００２３】
画像記録ユニット３００は、画像形成部３０を構成する感光体ドラム３１、帯電器３２、露光装置３３、現像装置３４、転写装置３５、クリーニングユニット３６及び定着装置７０を備えている。感光体ドラム３１はこの発明の静電潜像担持体に相当し、露光装置３３はこの発明の静電潜像形成部に相当し、現像装置３４はこの発明の現像部に相当し、転写装置３５はこの発明の転写部に相当し、定着装置７０はこの発明の定着部に相当する。
【００２４】
感光体ドラム３１は、表面に感光層を備え、矢印方向に回転する。帯電器３２は、感光体ドラム３１の表面を所定の均一な電位に帯電させる。帯電器３２として、チャージャによる非接触方式、又は、ローラ若しくはブラシによる接触方式の何れを用いてもよい。
【００２５】
露光装置３３は、例えばＬＳＵ（Laser Scanning Unit）であって、画像データに基づいて変調されたレーザ光を、ポリゴンミラーを介して感光体ドラム３１の表面に軸方向に走査する。これによって、感光体ドラム３１の表面には、感光層における光導電作用によって静電潜像が形成される。これに代えて、ＥＬやＬＥＤ等の発光素子をアレイ状に配置した露光装置を用いることもできる。
【００２６】
現像装置３４は、感光体ドラム３１の表面にトナーを供給し、静電潜像をトナー像に可視像化する。
【００２７】
転写装置３５は、転写ローラ３５Ａ及び転写ベルト３５Ｂを備えている。転写ベルト３５Ｂは、感光体ドラム３１の下方において複数のローラ間にループ状に張架されており、１×１０９〜１×１０１３Ω・ｃｍ程度の抵抗値を有する。転写ベルト３５Ｂのループ状の移動経路の内側には、転写ベルト３５Ｂを挟んで感光体ドラム３１に圧接する転写ローラ３５Ａが備えられている。転写ローラ３５Ａには、所定の転写電圧が印加され、転写ベルト３５Ｂと感光体ドラム３１との間を通過する用紙に、感光体ドラム３１が担持するトナー像が転写される。
【００２８】
クリーニングユニット３６は、用紙に対するトナー像の転写を終えた感光体ドラム３１の表面から、残留しているトナーを除去する。
【００２９】
定着装置７０は、加熱ローラ７１及び加圧ローラ７２を備えている。加熱ローラ７１は、トナーを溶融可能な温度に内部の熱源によって加熱される。加圧ローラ７２は、加熱ローラ７１に所定の圧力で圧接する。定着装置７０は、加熱ローラ７１と加圧ローラ７２との間を通過する用紙を加熱及び加圧することにより、トナー像を用紙に堅牢に定着させる。定着装置７０を通過した用紙は、画像形成装置１００の一方の側面に装着された排紙トレイ３８に排出される。
【００３０】
給紙ユニット４００は、給紙カセット４０１，４０２，４０３，４０４及び手差しトレイ４０５を備えている。給紙カセット４０１，４０２，４０３，４０４のそれぞれには、同一サイズの複数枚の用紙が収納される。手差しトレイ４０５には、使用頻度の低いサイズや紙質の用紙が載置される。
【００３１】
給紙ユニット４００は、給紙カセット４０１，４０２，４０３，４０４又は手差しトレイ４０５の何れかから１枚ずつ用紙を給紙する。給紙ユニット４００から給紙された用紙は、搬送ローラ５２によって、給紙搬送路１０及び用紙搬送路１１を経由して画像形成部３０へ搬送される。
【００３２】
用紙搬送方向において搬送ローラ５２の下流側に、レジストローラ５１が配置されている。搬送ローラ５２によって搬送された用紙は、停止しているレジストローラ５１に前端を突き当てられる。レジストローラ５１の回転軸は、用紙搬送方向に直交する方向に配置されている。用紙の前端が、停止しているレジストローラ５１に突き当てられることで、用紙が斜行している場合は斜行が補正される。
【００３３】
レジストローラ５１は、用紙の前端が、感光体ドラム３１の表面に形成されたトナー像の前端に合致するタイミングで回転を開始し、感光体ドラム３１と転写ベルト３５との間に用紙を搬送する。用紙には上述のようにトナー像が転写及び定着され、用紙は排紙トレイ３８に排出される。
【００３４】
画像形成装置１００の側面であって手差しトレイ４０５の下方に、大容量給紙カセット（以下、ＬＣＣ：Large Capacity Cassetteという。）を配置することができる。ＬＣＣには、多量の用紙が収納される。ＬＣＣから給紙された用紙は、用紙搬送路１２を経由して、画像形成部３０へ搬送される。
【００３５】
図２は、定着装置７０の構成を示す断面図である。
【００３６】
定着装置７０は、加熱ローラ７１及び加圧ローラ７２の他に、剥離爪７３，７４、クリーニング部材７５，７６、温度検出センサ７７，７８、及び、熱源７９〜８１を備えている。
【００３７】
剥離爪７３は、加熱ローラ７１の表面に貼り付いた用紙を剥離する。剥離爪７４は、加圧ローラ７２の表面に貼り付いた用紙を剥離する。
【００３８】
クリーニング部材７５は、加熱ローラ７１の表面に付着したトナーを除去する。クリーニング部材７６は、加圧ローラ７２の表面に付着したトナーを除去する。クリーニング部材７５，７６によって、用紙の汚れが防止される。
【００３９】
温度検出センサ７７は、加熱ローラ７１の表面温度を検出し、検出結果を制御部６０に出力する。温度検出センサ７８は、加圧ローラ７２の表面温度を検出し、検出結果を制御部６０に出力する。
【００４０】
熱源７９，８０は、加熱ローラ７１を内部から加熱する。熱源８１は、加圧ローラ７２を内部から加熱する。
【００４１】
図３は、画像形成装置１００の概略の構成を示すブロック図である。
【００４２】
画像形成装置１００は、入力装置６４を備えている。制御部６０は、入力装置６４から、印刷要求及び印刷条件等の入力を受け付ける。
【００４３】
制御部６０には、画像読取ユニット２００のＣＣＤ２０７から、原稿の画像の画像データが入力される。制御部６０は、画像データを露光装置３３へ出力する。露光装置３３は、画像データに基づいて変調されたレーザ光を感光体ドラム３１の表面に照射することで、感光体ドラム３１の表面に静電潜像を形成する。
【００４４】
制御部６０は、モータ及びクラッチ等の現像装置負荷機器６１を駆動させることで、静電潜像を現像してトナー像にする。制御部６０は、モータ及びクラッチ等の転写装置負荷機器６２を駆動させることで、トナー像を用紙に転写する。
【００４５】
制御部６０は、温度検出センサ７７の検出結果に基づいて、熱源７９，８０の加熱量を調整することで、加熱ローラ７１の表面温度を所定温度に調整する。制御部６０は、温度検出センサ７８の検出結果に基づいて、熱源８１の加熱量を調整することで、加圧ローラ７２の表面温度を所定温度に調整する。
【００４６】
制御部６０は、モータ及びクラッチ等の定着装置負荷機器６３を駆動させることで、用紙に転写されたトナー像を用紙に固着させる。
【００４７】
画像形成装置１００は、トナー像を定着された用紙にステープル処理及びパンチ孔開け等の所定の後処理を施す後処理装置６６を備えている。制御部６０は、モータ及びクラッチ等の後処理装置負荷機器６５を駆動させることで、後処理装置６６によって用紙に所定の後処理を施す。
【００４８】
図４は、単数枚の用紙にトナー像を定着させるジョブにおける制御部６０の処理を示す説明図である。
【００４９】
制御部６０は、用紙搬送方向Ｘにおいて、トナー像のうち用紙の所定の前端領域に転写される部分と、トナー像のうち所定の後端領域に転写される部分とを、画像データに基づいて比較し、前端領域と後端領域とでいずれの方がトナーの量が少ないかを判別する。
【００５０】
ここで、加熱ローラ７１の表面と加圧ローラ７２の表面とが圧接する部分のうち、加熱ローラ７１の中心と加圧ローラ７２の中心とを結ぶ直線と交わる部分をニップ部８２とする。
【００５１】
前端領域は、用紙搬送方向Ｘにおいて、用紙の前端側における、加熱ローラ７1の表面に沿うニップ部８２と剥離爪７３の先端との間の距離に相当する長さの領域をいう。後端領域は、用紙搬送方向Ｘにおいて、用紙の後端側における、上述の距離に相当する長さの領域をいう。前端領域と後端領域とは、同面積となるように設定される。
【００５２】
例えば、制御部６０は、前端領域及び後端領域のそれぞれについて各座標の濃度を積算して得られる積算値について、前端領域と後端領域とを比較することで、前端領域と後端領域とでいずれの方がトナーの量が少ないかを判別する。
【００５３】
制御部６０は、前端領域より後端領域の方がトナーの量が少ない場合、トナー像の前端と後端とが反転するように画像データを露光装置３３へ出力する。但し、トナー像の表裏は反転させない。即ち、トナー像を用紙の面に沿って１８０度回転させるように画像データを出力する。制御部６０は、後端領域より前端領域の方がトナーの量が少ない場合、トナー像の前端と後端とを反転させずに画像データを出力する。
【００５４】
図５は、複数枚の用紙に連続してトナー像を定着させるジョブにおける制御部６０の処理を示す説明図である。
【００５５】
制御部６０は、複数枚の用紙に連続してトナー像を定着させるジョブにおいて、各用紙に定着させるべきトナー像について前端領域と後端領域とでいずれがトナーの量が少ないかを判別する。制御部６０は、所定数以上のトナー像で前端領域より後端領域の方がトナーの量が少ない場合のみ、トナー像の全てについて、トナー像の前端と後端とが反転するように画像データを出力する。上述の所定数は、例えば５０％の比率である。
【００５６】
制御部６０は、用紙が薄紙である場合は、上述のように、前端領域と後端領域とのトナーの量の比較の結果に応じて、トナー像の前端と後端とを反転させるように画像データを出力する。一方、制御部６０は、用紙が厚紙である場合は、前端領域と後端領域とのトナーの量の比較の結果に関わらず、トナー像の前端と後端とを反転させずに画像データを出力する。厚紙は、トナー像の前端と後端とを反転させる処理をするまでもなく、加熱ローラ７１及び加圧ローラ７２の表面からの剥離性が良いからであり、厚紙についてはトナー像の前端と後端とを反転させる処理をしないことで、制御部６０の負担が軽減される。
【００５７】
用紙が薄紙であるか厚紙であるかは、例えば入力装置６４からユーザによって入力される。画像形成装置１００は、用紙が薄紙であるか厚紙であるかを検出する検出センサを備えることもできる。
【００５８】
制御部６０は、用紙に対する後処理の要求を受け付けた場合、前端領域と後端領域とのトナーの量の比較の結果に関わらず、トナー像の前端と後端とを反転させずに画像データを出力する。トナー像の前端と後端とが反転されたために画像に対して予定しない位置に後処理されることを、防止するためである。具体的には、例えば、複数の用紙について画像の上下がばらついた状態でステープル処理されることや、画像の左側にパンチ孔を開ける予定が右側に開けられること等を、防ぐためである。
【００５９】
制御部６０は、複数枚の用紙に連続してトナー像を定着させるジョブにおいて、初期の所定枚数までの各用紙に定着させるべきトナー像について、前端領域と後端領域とでいずれの方がトナーの量が少ないかを判別することができる。制御部６０は、所定数以上のトナー像で前端領域より後端領域の方がトナーの量が少ない場合に、トナー像の全てについて、トナー像の前端と後端とが反転するように画像データを出力することができる。
【００６０】
複数枚の用紙に連続してトナー像を定着させるジョブにおいては、初期の所定枚数までは加熱ローラ７１及び加圧ローラ７２の表面温度は十分に高いが、所定枚数を過ぎると、用紙に熱を奪われるために、加熱ローラ７１及び加圧ローラ７２の表面温度は一般的に低下する。
【００６１】
加熱ローラ７１及び加圧ローラ７２の表面温度が低下すると、加熱ローラ７１及び加圧ローラ７２の表面への用紙の貼り付きの強さも低下するので、用紙が容易に剥離されるようになり、定着装置７０での用紙の搬送不良が抑制される。
【００６２】
初期の所定枚数までは、加熱ローラ７１及び加圧ローラ７２の表面温度は十分に高いので、この初期の所定枚数までの各用紙に定着させるべきトナー像について前端領域と後端領域とでいずれの方がトナーの量が少ないかを判別した結果に応じて、トナー像の全てについてトナー像の前端と後端とを反転させるか否かを決定することで、効率よく、画像の質を低下させずに、定着装置７０での用紙の搬送不良が抑制される。
【００６３】
図６は、制御部６０の処理手順を示すフローチャートである。
【００６４】
制御部６０は、印刷要求があると（Ｓ１）、その印刷要求が単数枚の用紙にトナー像を定着させるジョブであり（Ｓ２）、前端領域より後端領域の方がトナーの量が少ない場合（Ｓ３）、トナー像の前端と後端とが反転するように画像データを出力する（Ｓ４）。制御部６０は、後端領域より前端領域の方がトナーの量が少ない場合は、トナー像の前端と後端とを反転させずに画像データを出力する（Ｓ５）。
【００６５】
制御部６０は、必要に応じてトナー像の前端と後端とを反転させた画像データを、露光装置３３へ出力して、帯電、露光、現像、転写及び定着の電子写真プロセスによる所定の印刷処理を行って、用紙に画像を形成する（Ｓ６）。
【００６６】
制御部６０は、印刷要求が複数枚の用紙に連続してトナー像を定着させるジョブであり（Ｓ２）、このジョブで定着させるべきトナー像の数のうち５０％以上の数のトナー像で前端領域より後端領域の方がトナーの量が少ない場合（Ｓ７）、このジョブで定着させるべきトナー像の全てについて、トナー像の前端と後端とが反転するように画像データを出力する（Ｓ８）。
【００６７】
制御部６０は、このジョブで定着させるべきトナー像の数のうち５０％以上の数のトナー像で後端領域より前端領域の方がトナーの量が少ない場合（Ｓ７）、このジョブで定着させるべきトナー像の全てについて、前端と後端とを反転させない（Ｓ９）。
【００６８】
制御部６０は、必要に応じてトナー像の前端と後端とを反転させた画像データを露光装置３３へ出力して、電子写真プロセスによる所定の印刷処理を行って、用紙に画像を形成する（Ｓ１０）。
【００６９】
画像形成装置１００は、記録媒体として、用紙の他に、ＯＨＰシート等を採用することができる。
【００７０】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００７１】
【図１】この発明の実施形態に係る画像形成装置の概略の構成を示す断面図である。
【図２】定着装置の構成を示す断面図である。
【図３】画像形成装置の概略の構成を示すブロック図である。
【図４】単数枚の用紙にトナー像を定着させるジョブにおける制御部の処理を示す説明図である。
【図５】複数枚の用紙に連続してトナー像を定着させるジョブにおける制御部の処理を示す説明図である。
【図６】制御部の処理手順を示すフローチャートである。
【符号の説明】
【００７２】
３１  感光体ドラム（静電潜像担持体）
３３  露光装置（静電潜像形成部）
３４  現像装置（現像部）
３５  転写装置（転写部）
６０  制御部
６６  後処理装置
７０  定着装置（定着部）
７１  加熱ローラ
７２  加圧ローラ
７３，７４  剥離爪
８２  ニップ部
１００  画像形成装置
２００  画像読取ユニット
３００  画像記録ユニット
４００  給紙ユニット
【図１】
2008107658.tif 000003
【図２】
2008107658.tif 000004
【図３】
2008107658.tif 000005
【図４】
2008107658.tif 000006
【図５】
2008107658.tif 000007
【図６】
2008107658.tif 000008